(57)【要約】【課題】  バッテリの消耗を抑制する携帯通信端末を提供する。【解決手段】  携帯通信端末の一態様である携帯電話が実行する処理は、ＣＭの開始時刻になると（ステップＳ６０８にてＹＥＳ）、基地局からパケットデータを受信するステップ（Ｓ６１０）と、チューナの電源ＯＦＦの指令を出力するステップ（Ｓ６１２）と、ＮＴＳＣデコーダの電源ＯＦＦの指令を出力するステップ（Ｓ６１４）と、パケットデータに基づく映像データを出力するステップ（Ｓ６１６）と、ＣＭの終了時刻になると（ステップＳ６１８にてＹＥＳ）、チューナの電源ＯＮの指令を出力するステップ（Ｓ６２０）と、ＮＴＳＣデコーダの電源ＯＮの指令を出力するステップ（Ｓ６２２）と、チューナからの映像データを出力するステップ（Ｓ６２４）とを含む。【選択図】        図６
2006041791.tif 000002
【特許請求の範囲】
【請求項１】
バッテリと、
外部から、情報の入力を受けて映像信号を出力する情報受信手段と、
映像信号に基づいて映像を表示する表示手段と、
前記情報から、前記映像信号の属性を表わす属性情報を取得する取得手段とを備え、
前記情報受信手段は、前記バッテリから電力の供給を受けるチューナを含み、
さらに、
前記属性情報に基づいて、前記バッテリから前記チューナへの電力の供給を制限する電源制御手段とを備える、携帯通信端末。
【請求項２】
前記電源制御手段は、前記バッテリから前記チューナへの電力の供給を停止する、請求項１に記載の携帯通信端末。
【請求項３】
前記チューナは、前記属性情報と前記映像信号とが多重化された多重放送電波を受信し、
前記取得手段は、前記多重放送電波から前記属性情報を取得する、請求項１に記載の携帯通信端末。
【請求項４】
前記チューナは、コマーシャル情報が放送される時間を特定するための通知情報が前記属性情報として含まれる多重放送電波を受信し、
前記取得手段は、前記多重放送電波から前記通知情報を取得し、
前記電源制御手段は、前記通知情報に基づいて、前記コマーシャル情報が放送される間前記バッテリから前記チューナへの電力の供給を停止する、請求項３に記載の携帯通信端末。
【請求項５】
前記チューナは、前記コマーシャル情報を放送する放送局から、前記多重放送電波を受信する、請求項４に記載の携帯通信端末。
【請求項６】
前記情報受信手段は、パケットデータを受信するパケット受信手段を含み、
前記取得手段は、前記パケットデータから、前記属性情報を取得する、請求項１に記載の携帯通信端末。
【請求項７】
前記パケット受信手段は、コマーシャル情報が放送される時間を特定するための通知情報が前記属性情報として含まれるパケットデータを受信し、
前記取得手段は、前記パケットデータから前記通知情報を取得し、
前記電源制御手段は、前記通知情報に基づいて、前記コマーシャル情報が放送される間前記バッテリから前記チューナへの電力の供給を停止する、請求項６に記載の携帯通信端末。
【請求項８】
前記パケット受信手段は、前記携帯通信端末によるアクセスに応じて情報を提供する配信装置から、前記パケットデータを受信する、請求項７に記載の携帯通信端末。
【請求項９】
前記属性情報は、コマーシャル情報の放送が開始される開始時刻と、前記コマーシャル情報の放送時間とを含み、
前記電源制御手段は、前記開始時刻から前記放送時間、前記バッテリから前記チューナへの電力の供給を停止する、請求項１〜８のいずれかに記載の携帯通信端末。
【請求項１０】
前記携帯通信端末は、
映像データを格納する記憶手段と、
前記バッテリから前記チューナへの電力の供給の停止に応答して、前記映像データに基づいて前記表示手段に前記映像を表示させる表示制御手段とをさらに備える、請求項２に記載の携帯通信端末。
【請求項１１】
前記携帯通信端末は、
外部から指示の入力を受ける入力手段と、
前記指示に基づいて、要求に応じて映像データを配信する配信装置に、前記映像データの配信要求を送信する送信手段とをさらに備え、
前記情報受信手段は、前記配信装置から前記映像データを受信する、請求項１０に記載の携帯通信端末。
【請求項１２】
前記送信手段は、前記指示に基づいて、前記配信装置に、前記携帯通信端末と通信する基地局が配置されているエリアに応じて予め準備された映像を表示するためのエリア別映像データの配信要求を送信し、
前記情報受信手段は、前記配信装置から、前記配信要求に応じて提供された前記エリア別映像データを受信する、請求項１１に記載の携帯通信端末。
【請求項１３】
前記送信手段は、前記バッテリから前記チューナへの電力が供給されている間に、前記基地局に対して、前記配信要求を送信する、請求項１１に記載の携帯通信端末。
【請求項１４】
前記携帯通信端末は、
前記バッテリから電力の供給を受けて、前記表示手段に光を供給する発光手段と、
前記属性情報に基づいて、前記バッテリから前記発光手段への電力の供給を制御する発光制御手段とをさらに備える、請求項１に記載の携帯通信端末。
【請求項１５】
前記発光制御手段は、前記属性情報に基づいて、前記バッテリから前記発光手段への電力の供給を予め定められた供給量に抑制する、請求項１４に記載の携帯通信端末。
【請求項１６】
前記発光制御手段は、前記バッテリから前記発光手段への電力の供給を停止する、請求項１５に記載の携帯通信端末。
【請求項１７】
前記チューナは、コマーシャル情報が放送される時間を特定するための通知情報が前記属性情報として含まれる多重放送電波を受信し、
前記取得手段は、前記多重放送電波から前記通知情報を取得し、
前記発光制御手段は、前記通知情報に基づいて、前記コマーシャル情報が放送されている間、前記バッテリから前記発光手段への電力の供給を停止する、請求項１５に記載の携帯通信端末。
【請求項１８】
前記情報受信手段は、パケットデータを受信するパケット受信手段を含み、
前記パケット受信手段は、コマーシャル情報が放送される時間を特定するための通知情報が前記属性情報として含まれるパケットデータを受信し、
前記取得手段は、前記パケットデータから、前記通知情報を取得し、
前記発光制御手段は、前記通知情報に基づいて、前記コマーシャル情報が放送されている間、前記バッテリから前記発光手段への電力の供給を停止する、請求項１５に記載の携帯通信端末。
【請求項１９】
前記通知情報は、前記コマーシャル情報の放送が開始される開始時刻と、前記コマーシャル情報の放送時間とを含み、
前記発光制御手段は、前記開始時刻から前記放送時間、前記バッテリから前記発光手段への電力の供給を停止する、請求項１７または請求項１８に記載の携帯通信端末。
【請求項２０】
前記コマーシャル情報は、コマーシャル情報の種類を表わすための属性データを含み、
前記携帯通信端末は、
外部から入力された設定データを記憶する設定データ記憶手段と、
前記設定データに関連付けられる属性データを有するコマーシャル情報の受信に応答して、予め定められた供給量に基づいて、前記バッテリから前記発光手段に電力を供給させる供給制御手段とをさらに備える、請求項１７〜１９のいずれかに記載の携帯通信端末。
【請求項２１】
前記供給制御手段は、前記設定データと一致する前記属性データを有するコマーシャル情報を受信すると、前記バッテリから前記発光手段に対する電力の供給を増加する、請求項２０に記載の携帯通信端末。
【請求項２２】
バッテリと前記バッテリから電力の供給を受けて作動するチューナとを備える携帯通信端末を制御するためのプログラムであって、前記プログラムは、前記携帯通信端末に、
外部から、情報の入力を受けて映像信号を出力するステップと、
前記映像信号に基づいて、映像を表示するステップと、
前記情報から、前記映像信号の属性を表わす属性情報を取得するステップと、
前記属性情報に基づいて、前記バッテリから前記チューナへの電力の供給を制限するステップとを実行させる、プログラム。
【発明の詳細な説明】
【技術分野】
【０００１】
本発明は携帯通信端末の制御に関し、より特定的には、携帯通信端末の電源の制御に関する。
【背景技術】
【０００２】
テレビ放送を受信可能な情報通信装置において、テレビ放送の受信中にコマーシャルが開始すると、映像の表示信号の入力源をインターネット回線に切り替える技術がある。たとえば特開平１１−１４６２９６号公報（特許文献１）は、使用者が視聴を希望しないコマーシャル放送の受信時にインターネットからの情報に基づいて表示可能な情報出力装置を開示している。
【０００３】
他の局面では、従来の通信機能に加えて、テレビ放送の受信機能を有する携帯電話が普及しつつある。たとえば特開２００３−３３９０４０号公報（特許文献２）は、視聴者に適したコマーシャル情報を受信可能な携帯端末を開示している。
【特許文献１】特開平１１−１４６２９６号公報
【特許文献２】特開２００３−３３９０４０号公報
【発明の開示】
【発明が解決しようとする課題】
【０００４】
ところで、携帯電話その他の携帯通信端末は、その携帯性の確保のために容量に制限のあるバッテリを搭載している。そのため、携帯通信端末が、上記のように、視聴者に適したコマーシャル情報やインターネット回線からの情報を表示している場合には、消費電力量は、単なる通話時よりも大きくなる。そこで、使用者がテレビ放送を視聴している場合においても、係る消費を抑制したいという要請がある。
【０００５】
しかしながら、特許文献２に開示された携帯端末においては、当該コマーシャル情報の表示中でも電力の消費量は変わらないため、通常よりもバッテリが消耗する場合があり得る。
【０００６】
本発明は、上述の問題点を解決するためになされたものであって、その目的は、放送電波の受信機能を有する携帯通信端末において、バッテリの消耗を抑制することができる携帯通信端末を提供することである。
【０００７】
本発明の他の目的は、バッテリの消費を抑制しつつ視聴者に適した情報を表示できる携帯通信端末を提供することである。
【０００８】
本発明のさらに他の目的は、バッテリの消耗を抑制するように、放送電波の受信機能を有する携帯通信端末を制御するためのプログラムを提供することである。
【課題を解決するための手段】
【０００９】
上記の課題を解決するために、この発明のある局面に従うと、携帯通信端末は、バッテリと、外部から、情報の入力を受けて映像信号を出力する情報受信手段と、映像信号に基づいて映像を表示する表示手段と、情報から、映像信号の属性を表わす属性情報を取得する取得手段とを備える。情報受信手段は、バッテリから電力の供給を受けるチューナを含む。携帯通信端末は、さらに、属性情報に基づいて、バッテリからチューナへの電力の供給を制限する電源制御手段とを備える。
【００１０】
好ましくは、電源制御手段は、バッテリからチューナへの電力の供給を停止する。
【００１１】
好ましくは、チューナは、属性情報と映像信号とが多重化された多重放送電波を受信する。取得手段は、多重放送電波から属性情報を取得する。
【００１２】
好ましくは、チューナは、コマーシャル情報が放送される時間を特定するための通知情報が属性情報として含まれる多重放送電波を受信する。取得手段は、多重放送電波から通知情報を取得する。電源制御手段は、通知情報に基づいて、コマーシャル情報が放送される間バッテリからチューナへの電力の供給を停止する。
【００１３】
好ましくは、チューナは、コマーシャル情報を放送する放送局から、多重放送電波を受信する。
【００１４】
好ましくは、情報受信手段は、パケットデータを受信するパケット受信手段を含む。取得手段は、パケットデータから、属性情報を取得する。
【００１５】
好ましくは、パケット受信手段は、コマーシャル情報が放送される時間を特定するための通知情報が属性情報として含まれるパケットデータを受信する。取得手段は、パケットデータから通知情報を取得する。電源制御手段は、通知情報に基づいて、コマーシャル情報が放送される間バッテリからチューナへの電力の供給を停止する。
【００１６】
好ましくは、パケット受信手段は、携帯通信端末によるアクセスに応じて情報を提供する配信装置から、パケットデータを受信する。
【００１７】
好ましくは、属性情報は、コマーシャル情報の放送が開始される開始時刻と、コマーシャル情報の放送時間とを含む。電源制御手段は、開始時刻から放送時間、バッテリからチューナへの電力の供給を停止する。
【００１８】
好ましくは、携帯通信端末は、映像データを格納する記憶手段と、バッテリからチューナへの電力の供給の停止に応答して、映像データに基づいて表示手段に映像を表示させる表示制御手段とをさらに備える。
【００１９】
好ましくは、携帯通信端末は、外部から指示の入力を受ける入力手段と、指示に基づいて、要求に応じて映像データを配信する配信装置に、映像データの配信要求を送信する送信手段とをさらに備える。情報受信手段は、配信装置から映像データを受信する。
【００２０】
好ましくは、送信手段は、指示に基づいて、配信装置に、携帯通信端末と通信する基地局が配置されているエリアに応じて予め準備された映像を表示するためのエリア別映像データの配信要求を送信する。情報受信手段は、配信装置から、配信要求に応じて提供されたエリア別映像データを受信する。
【００２１】
好ましくは、送信手段は、バッテリからチューナへの電力が供給されている間に、基地局に対して、配信要求を送信する。
【００２２】
好ましくは、携帯通信端末は、バッテリから電力の供給を受けて、表示手段に光を供給する発光手段と、属性情報に基づいて、バッテリから発光手段への電力の供給を制御する発光制御手段とをさらに備える。
【００２３】
好ましくは、発光制御手段は、属性情報に基づいて、バッテリから発光手段への電力の供給を予め定められた供給量に抑制する。
【００２４】
好ましくは、発光制御手段は、バッテリから発光手段への電力の供給を停止する。
【００２５】
好ましくは、チューナは、コマーシャル情報が放送される時間を特定するための通知情報が属性情報として含まれる多重放送電波を受信する。取得手段は、多重放送電波から通知情報を取得する。発光制御手段は、通知情報に基づいて、コマーシャル情報が放送されている間、バッテリから発光手段への電力の供給を停止する。
【００２６】
好ましくは、情報受信手段は、パケットデータを受信するパケット受信手段を含む。パケット受信手段は、コマーシャル情報が放送される時間を特定するための通知情報が属性情報として含まれるパケットデータを受信する。取得手段は、パケットデータから、通知情報を取得する。発光制御手段は、通知情報に基づいて、コマーシャル情報が放送されている間、バッテリから発光手段への電力の供給を停止する。
【００２７】
好ましくは、通知情報は、コマーシャル情報の放送が開始される開始時刻と、コマーシャル情報の放送時間とを含む。発光制御手段は、開始時刻から放送時間、バッテリから発光手段への電力の供給を停止する。
【００２８】
好ましくは、コマーシャル情報は、コマーシャル情報の種類を表わすための属性データを含む。携帯通信端末は、外部から入力された設定データを記憶する設定データ記憶手段と、設定データに関連付けられる属性データを有するコマーシャル情報の受信に応答して、予め定められた供給量に基づいて、バッテリから発光手段に電力を供給させる供給制御手段とをさらに備える。
【００２９】
好ましくは、供給制御手段は、設定データと一致する属性データを有するコマーシャル情報を受信すると、バッテリから発光手段に対する電力の供給を増加する。
【００３０】
この発明の他の局面に従うと、プログラムは、バッテリとバッテリから電力の供給を受けて作動するチューナとを備える携帯通信端末を制御するためのプログラムである。このプログラムは、携帯通信端末に、外部から情報の入力を受けて映像信号を出力するステップと、映像信号に基づいて映像を表示するステップと、情報から映像信号の属性を表わす属性情報を取得するステップと、属性情報に基づいて、バッテリからチューナへの電力の供給を制限するステップとを実行させる。
【発明の効果】
【００３１】
本発明に係る携帯通信端末によると、受信電波に含まれる信号に応じてチューナの動作が制御されるため、電力の消費を抑制することができる。
【００３２】
また、本発明に係る携帯通信端末によると、電力の消費を抑制しつつ使用者に適した情報を受信することができる。
【００３３】
さらに、本発明に係るプログラムによると、バッテリからチューナへの電力の供給を制限するように、携帯通信端末を制御することができる。
【発明を実施するための最良の形態】
【００３４】
以下、図面を参照しつつ、本発明の実施の形態について説明する。以下の説明では、同一の部品には同一の符号を付してある。それらの名称および機能も同じである。したがってそれらについての詳細な説明は繰り返さない。
【００３５】
図１および図２を参照して、本発明の実施の形態に係る携帯電話１００について説明する。図１は、携帯電話１００による電波の受信を説明するための図である。なお、携帯電話は、本発明に係る携帯通信端末の一態様であり、携帯電話に限られるものではない。
【００３６】
図１に示されるように、携帯電話１００は、テレビ放送局１８０からの電波を中継局１８２を介して受信する。一方で携帯電話１００は、基地局１９２を介して、携帯電話網１９０から送信された基地局別ＣＭ（Commercial Message）電波を受信する。基地局別ＣＭとは、基地局が配置されているエリアに応じて予め準備されたコマーシャル情報である。この情報は、たとえば当該エリアにおいて活動する企業に関する情報、あるいは、当該エリアの自治体からの連絡などを含む。携帯電話網１９０は、当該電話網を構成する複数の基地局の各々に応じてＣＭを配信するためのサーバ３００をそれぞれ含む。
【００３７】
携帯電話１００は、テレビ放送電波を受信するためのテレビチューナ１４０と、パケットデータを受信するためのパケット受信部１３０と、外部から入力されるデータと内部に予め格納されているデータとに基づいて所定の処理を実行するための制御部１１０とを含む。
【００３８】
携帯電話網１９０は、たとえば携帯電話事業を提供する事業者により構成されるデータ通信網である。サーバ３００は、携帯電話網１９０に接続されている場合もあれば、インターネット回線（図示しない）を介して接続されている場合もある。すなわち、サーバ３００は、当該事業者によって運営されてもよいし、テレビ放送局その他の第三者により、運営されてもよい。
【００３９】
図２は、携帯電話１００のハードウェア構成を表わすブロック図である。携帯電話１００は、アンテナ１１３とアンテナ１１３を介した情報の通信を制御するための通信制御部１１４と、テレビチューナ１４０と、ＮＴＳＣ（National Television System Standard Committee）デコーダ１１６と、外部から指示の入力を受付けるための入力部１２０と、電池１５０と、ビデオメモリ１１７と、映像を表示するためのディスプレイ１７０と、ディスプレイ１７０に所定の光量を供給するためのバックライト１６０と、スピーカ１１８と、フラッシュメモリ１１９と、クロック１２１と、携帯電話１００の使用者が通話するためのマイク１２２とを含む。
【００４０】
携帯電話１００は、さらに、外部から入力される指示およびデータと、フラッシュメモリ１１９その他の記憶装置に格納されているデータとに基づいて、予め定められた処理を実行するための制御部１１０を含む。この処理は、たとえばソフトウェアにより実現される。この処理の詳細は、後述する。
【００４１】
通信制御部１１４は、アンテナ１１３を介してパケットデータを受信するためのパケット受信部１３０と、入力された指示に応じてパケットデータを送信するためのパケット送信部１３２とを含む。入力部１２０は、たとえばテンキーあるいは所定の操作ボタンである。
【００４２】
制御部１１０は、予め定められた処理の実行結果に応じて携帯電話１００の各部に対する電力の供給を制御する電源制御部１１１と、予め定められた処理の実行結果に応じてバックライト１６０に対する電力の供給を制御する表示制御部１１２とを含む。
【００４３】
電源制御部１１１は、たとえば制御部１１０において生成される数値データに応じて、バッテリからテレビチューナ１４０に供給される電力を調整する。この調整は、たとえば、予め準備された、数値データと供給電力との対応関係を表わすマップデータに基づいて行なわれる。このマップデータは、フラッシュメモリ１１９に格納可能である。あるいは、テレビチューナ１４０への電力の供給を遮断する場合には、テレビチューナ１４０と電池１５０との間にスイッチを配置し、そのスイッチを開閉することにより、電力の供給と停止とを切り替えてもよい。
【００４４】
表示制御部１１２も、電源制御部１１１による電力の供給の制御と同様に、バックライト１６０に対する電力の供給を制御する。
【００４５】
ディスプレイ１７０は、たとえば液晶ディスプレイである。バックライト１６０は、ディスプレイ１７０に光を供給する。これにより、ディスプレイ１７０の表示画面は、使用者に視認可能になる。また、バックライト１６０は、制御部１１０による制御に応じて、供給する光量を変更する。たとえば一時的に光量を「０」にして、ディスプレイ１７０の表示を一時的に中止することができる。
【００４６】
携帯電話１００は、たとえばＰＤＣ（Personal Digital Cellular）方式、あるいはＧＳＭ（Global System for Mobile Communication）方式で通話機能が実現されるものである。なお、当該電話機能を実現するための技術は周知である。したがって、ここでは詳細な説明は、繰り返さない。
【００４７】
図３を参照して、図１に示されるサーバ３００について説明する。図３は、サーバ３００を実現するコンピュータシステムのハードウェア構成を表わすブロック図である。
【００４８】
サーバ３００は、相互にデータバスで接続された他のハードウェアの動作を制御するためのＣＰＵ（Central Processing Unit）３１０と、マウス３２０と、キーボード３３０と、演算あるいは制御用のデータを一時的に格納するためのメモリ３４０と、ハードディスク３５０と、モニタ３８０と、通信回線（図示しない）を介して他の通信装置と接続され所定のプロトコルに基づいて情報通信を行なうための通信ＩＦ（Interface）３９０とを含む。
【００４９】
サーバ３００は、受信した配信要求に応じて、あるいはＣＰＵ３１０による所定の処理の結果が予め定められた条件を満足している場合に、情報の配信を要求している端末に対して、ハードディスク３５０に格納されている基地局別ＣＭ情報を送信する。
【００５０】
なお、当該コンピュータシステムのハードウェア構成および各機能は周知であるため、詳細な説明は、繰り返さない。
【００５１】
図４を参照して、本実施の形態に係る携帯電話１００が受信するデータ構造について説明する。図４は、携帯電話１００がＣＭ情報を配信する配信装置から受信するデータの内容を説明するための図である。この配信装置は、たとえば通信事業者により運営されているものもあれば、テレビ放送局その他の事業者により運営されている場合もある。
【００５２】
図４に示されるように、ヘッダ情報は、領域Ｄ４１０に格納されている。ヘッダ情報は、たとえば当該データの属性を表わす情報、当該データの送信元を特定するための送信者情報等を含む。放送電波のチャンネルを識別するための情報は、領域Ｄ４２０に格納される。放送が実際に行なわれている日付情報は、領域Ｄ４３０に格納される。その番組の放送中に開始するＣＭの開始時刻は、領域Ｄ４４０に格納される。同様にして、そのＣＭの終了時刻は、領域Ｄ４５０に格納されている。
【００５３】
なお、当該通信データに含まれるデータ項目は、図４に示される項目に限られない。また、ＣＭの放送時間を通知するための通知情報として、ＣＭの開始時刻と終了時刻の組み合わせが示されているが、これに限られない。たとえば、開始時刻と放送時間の組み合わせを有するデータが送信されてもよい。
【００５４】
図５を参照して、サーバ３００におけるデータ構造について説明する。図５は、ハードディスク３５０に格納されているデータを説明するための図である。このデータは、たとえば本実施の形態に係る携帯電話１００に通信事業を提供する事業者の基地局が配置されているエリアに応じて作成されたデータである。
【００５５】
図５に示されるように、予め準備されたＣＭ配信のためのデータは、領域Ｆ５１０に格納されている。各ＣＭの配信のために使用されるデータファイルの名称は、領域Ｆ５２０に格納されている。そのＣＭが配信される時間帯は、領域Ｆ５３０に格納されている。そのＣＭの配信のために使用されるファイルが格納されている場所を示すためのアドレスは、領域Ｆ５４０に格納されている。
【００５６】
たとえば第１のＣＭ配信データは、「ＣＭ００１．ＭＰＧ」というデータファイルを使用する。このファイルは、「１９時」から１時間、配信のために使用される。ファイル「ＣＭ００１．ＭＰＧ」は、アドレス「ａ００１」に格納されている。第２および第３のＣＭ配信データの格納の態様も同様である。
【００５７】
なお、ＣＭの配信のためのデータの格納の態様は、図５に示される態様に限られない。各配信データ毎にファイル名、配信時間帯、当該ファイルの格納先アドレスがそれぞれ関連付けられていればよい。
【００５８】
図６を参照して、本実施の形態に係る携帯電話１００の制御構造について説明する。図６は、制御部１１０が実行する処理の手順を表わすフローチャートである。
【００５９】
ステップＳ６０２にて、携帯電話１００の制御部１１０は、テレビチューナ１４０を介してテレビ放送電波を受信する。ステップＳ６０４にて、制御部１１０は、通信制御部１１４を介してＣＭ期間通知情報が含まれる電子メールを受信する。ステップＳ６０６にて、制御部１１０は、フラッシュメモリ１１９に、ＣＭの開始時刻と終了時刻とを格納する。
【００６０】
ステップＳ６０８にて、制御部１１０は、クロック１２１から入力される時刻データに基づいて、携帯電話１００の時刻がＣＭの開始時刻であるか否かを判断する。その時刻がＣＭの開始時刻である場合には（ステップＳ６０８にてＹＥＳ）、処理はステップＳ６１０に移される。そうでない場合には（ステップＳ６０８にてＮＯ）、処理はステップＳ６０８に戻される。
【００６１】
ステップＳ６１０にて、制御部１１０は、パケット受信部１３０を介して基地局から送信されたパケットデータを受信する。ステップＳ６１２にて、制御部１１０は、電源制御部１１１を介してテレビチューナ１４０の電源ＯＦＦの指令を出力する。その結果、テレビチューナ１４０は作動しなくなるため、電力の消費が抑制される。
【００６２】
ステップＳ６１４にて、制御部１１０は、電源制御部１１１を介してＮＴＳＣデコーダ１１６の電源ＯＦＦの指令を出力する。この出力に応じて、ＮＴＳＣデコーダ１１６は、所定の動作を終了する。したがって、電池１５０の消耗がさらに抑制される。
【００６３】
ステップＳ６１６にて、制御部１１０は、表示制御部１１２を介してビデオメモリ１１７の所定の領域にパケットデータに基づく映像データを出力する。ディスプレイ１７０は、この出力に応じて、その映像を表示する。
【００６４】
ステップＳ６１８にて、制御部１１０は、クロック１２１から入力される時刻データに基づいて、携帯電話１００の時刻がＣＭの終了時刻であるか否かを判断する。その時刻がＣＭの終了時刻である場合には（ステップＳ６１８にてＹＥＳ）、処理はステップＳ６２０に移される。そうでない場合には（ステップＳ６１８にてＮＯ）、処理はステップＳ６１６に戻される。
【００６５】
ステップＳ６２０にて、制御部１１０は、電源制御部１１１を介してテレビチューナ１４０の電源ＯＮの指令を出力する。その結果、テレビチューナ１４０は、設定されているチャンネルに基づいてアンテナ１１３を介して受信される放送電波から所定の電波を選局する。ステップＳ６２２にて、制御部１１０は、ＮＴＳＣデコーダ１１６の電源ＯＮの指令を出力する。その結果、ＮＴＳＣデコーダ１１６は、所定の動作を再び開始する。
【００６６】
ステップＳ６２４にて、制御部１１０は、表示制御部１１２を介してビデオメモリ１１７の所定の領域にテレビチューナ１４０により選局された映像データを出力する。その結果、ディスプレイ１７０は、受信中のテレビ放送電波に応じた映像を表示する。
【００６７】
以上のような構造およびフローチャートに基づく、本実施の形態に係る携帯電話１００の動作について説明する。
【００６８】
ユーザが携帯電話１００のテレビチューナ１４０を介してテレビ放送を視聴中に（ステップＳ６０２）、携帯電話１００がＣＭ期間通知情報を含む電子メールを受信すると（ステップＳ６０４）、ＣＭの開始時刻と終了時刻とがフラッシュメモリ１１９に書込まれる（ステップＳ６０６）。携帯電話１００の時刻がＣＭの開始時刻になると（ステップＳ６０８にてＹＥＳ）、携帯電話１００は、パケット受信部１３０を介してパケットデータを受信し（ステップＳ６１０）、そのデータをフラッシュメモリ１１９に書込む。その後テレビチューナ１４０の動作が終了し（ステップＳ６１２）、ディスプレイ１７０は、パケットデータに応じた映像を表示する（ステップＳ６１６）。
【００６９】
その後、携帯電話１００の時刻がＣＭの終了時刻になると（ステップＳ６１８にてＹＥＳ）、テレビチューナ１４０の電源が再び入り（ステップＳ６２０）、ディスプレイ１７０は、テレビチューナ１４０により受信された番組の映像を表示する（ステップＳ６２４）。
【００７０】
以上のようにして、本実施の形態に係る携帯電話１００は、テレビ放送電波の受信中に、ＣＭの期間通知情報が含まれる電子メールを受信すると所定の情報をフラッシュメモリ１１９に格納する。ＣＭの開始時刻になると、携帯電話１００は、テレビチューナ１４０の作動を終了させ、ディスプレイ１７０は、テレビ放送とは異なる映像、すなわちＣＭの放送前に受信した映像データに基づく映像を表示する。ＣＭの時間が経過すると、携帯電話１００は、テレビチューナ１４０の電源をＯＮに設定し、ディスプレイ１７０は番組を表示する。このようにすると、電力の消費量が他のハードウェアよりも多いテレビチューナ１４０の動作が中断するため、携帯電話１００は、ＣＭの放送中における電池１５０の電力の消費を抑制することができる。
【００７１】
＜第１の変形例＞
以下、本発明の実施の形態の第１の変形例について説明する。本変形例に係る携帯電話１００は、ＣＭの開始時刻になるとバックライト１６０の電源をＯＦＦにする機能を有する点で、前述の実施の形態と異なる。なお、本変形例に係る携帯電話１００は、前述の実施の形態と同じハードウェア構成を有する。それらの機能も同じである。したがって、ここではそれらについての説明は繰り返さない。
【００７２】
図７を参照して、本変形例に係る携帯電話１００の制御構造について説明する。図７は、制御部１１０が実行する処理の手順を表わすフローチャートである。この処理は、たとえばフラッシュメモリ１１９に予め格納されているソフトウェアを実行することにより実現される。なお、同一の処理には同一のステップ番号を付してある。したがって、それらについての説明は繰り返さない。
【００７３】
ステップＳ７１２にて、制御部１１０は、電源制御部１１１を介してバックライト１６０の電源ＯＦＦの指令を出力する。その結果、ディスプレイ１７０はバックライト１６０から光の供給を受けなくなるため、ＣＭの期間中は輝度が少なくなる。また、この期間中電池１５０による電力の消費はその分抑制される。
【００７４】
ステップＳ６１８にて、制御部１１０は、クロック１２１から入力される時刻データに基づいて、携帯電話１００の時刻がＣＭの終了時刻であるか否かを判断する。その時刻がＣＭの終了時刻である場合には（ステップＳ６１８にてＹＥＳ）、処理はステップＳ７２０に移される。そうでない場合には（ステップＳ６１８にてＮＯ）、処理はステップＳ６１６に戻される。
【００７５】
ステップＳ７２０にて、制御部１１０は、バックライト１６０の電源をＯＮにする指令を出力する。これにより、ディスプレイ１７０の明るさが通常時の水準に復帰する。
【００７６】
以上のようにして、本変形例に係る携帯電話１００によると、ＣＭの放送中はバックライト１６０に対する電力の供給が制御されるため、電池１５０の消耗が抑制される。
【００７７】
＜第２の変形例＞
以下、本実施の形態の第２の変形例について説明する。前述の実施の形態においては、ＣＭの開始を表わす情報は、電子メール形式により予め携帯電話１００に送信されたが、その他の態様によりＣＭの開始を通知してもよい。たとえば、テレビ放送が多重化放送である場合には、ＣＭの開始を表わす情報を放送番組に合わせて送信し、携帯電話１００がその情報を取得した場合に所定の処理を実行するようにしてもよい。すなわち、本変形例に係る携帯電話１００は、テレビ放送の受信中に検出するＣＭの開始あるいは終了を表わす情報に基づいて電力の供給を制御する機能を有する点で、前述の実施の形態と異なる。
【００７８】
なお、本変形例に係る携帯電話１００は、前述の実施の形態と同一のハードウェア構成を有する。それらの機能も同じである。したがって、ここではそれらについての説明は繰返さない。
【００７９】
図８を参照して、本変形例に係る携帯電話１００が受信するデータの構造について説明する。図８は、多重化放送される電波におけるデータ構造を概念的に表わす図である。
【００８０】
図８に示されるように、映像信号の属性を表わすための情報は、チャンネルＣ８１０の各領域に格納されている。すなわち、放送される番組の内容等を説明するための番組情報は、領域Ｄ８２０に格納されている。上記番組に続けて放送されるＣＭが放送される時間を表わすＣＭ期間通知情報は、領域Ｄ８３０に格納されている。そのＣＭの後に放送される番組の内容等を説明するための番組情報は、領域Ｄ８４０に格納されている。その番組に続けて放送されるＣＭが放送される時間を表わすＣＭ期間通知情報は、領域Ｄ８５０に格納されている。
【００８１】
また、実際にチューナにより受信された場合に表示されるデータは、チャンネルＣ８００の各領域に格納されている。すなわち、上記の属性情報に対応した、いわゆるコンテンツデータがチャンネルＣ８００の領域Ｄ８２０〜Ｄ８５０に格納されている。なお、多重化放送されるデータ構造は、図８に示される態様に限られない。
【００８２】
図９を参照して、本変形例に係る携帯電話１００の制御構造について説明する。図９は、制御部１１０が実行する処理の手順を表わすフローチャートである。なお、前述の実施の形態における処理と同一の処理には同一のステップ番号を付し、それらについての説明はここでは繰返さない。
【００８３】
ステップＳ９１０にて、制御部１１０は、テレビチューナ１４０を介して多重化されたテレビ放送を受信する。ステップＳ９２０にて、制御部１１０は、放送電波から番組データを取得する。ステップＳ９３０にて、制御部１１０は、放送電波のチャンネルＣ８１０から、ＣＭ開始を表わす情報とＣＭ時間とを取得する。
【００８４】
ステップＳ９４０にて、制御部１１０は、取得した番組データの属性情報がＣＭの開始を表わす情報であるか否かを判断する。その属性情報がＣＭの開始を表わす情報である場合には（Ｓ９４０にてＹＥＳ）、処理はステップＳ６１２に移される。そうでない場合には（ステップＳ９４０にてＮＯ）、処理は再びステップＳ９４０に戻される。
【００８５】
ステップＳ９５０にて、制御部１１０は、テレビチューナ１４０の電源がＯＦＦである時間の計測を開始する。この計測は、クロック１２１から制御部１１０に入力される時刻データに基づいて行なわれる。
【００８６】
ステップＳ９７０にて、制御部１１０は、計測された時間がＣＭの時間に到達したか否かを判断する。計測された時間がその時間に到達している場合には（Ｓ９７０にてＹＥＳ）、処理はステップ６２０に移される。そうでない場合には（ステップＳ９７０にてＮＯ）、処理はステップＳ６１６に戻される。
【００８７】
以上のような構造およびフローチャートに基づく、本変形例に係る携帯電話１００の動作について説明する。なお、前述の動作と同じ動作の説明はここでは繰返さない。
【００８８】
ユーザがテレビの多重放送を視聴中に（ステップＳ９１０）、放送電波から番組データが取得され（ステップＳ９２０）、携帯電話１００はさらにサブチャンネルからＣＭ開始を表わす情報とＣＭ時間とを取得する（ステップＳ９３０）。携帯電話１００がＣＭの開始を表わす情報を取得すると（ステップＳ９４０にてＹＥＳ）、ディスプレイ１７０は、テレビ放送の表示を終了する（Ｓ６１２）。ディスプレイ１７０がテレビ放送を表示しない間、ディスプレイ１７０は予め受信したパケットデータに応じた映像を表示する（ステップＳ６１６）。その後ＣＭの時間が終了すると（ステップＳ９７０にてＹＥＳ）、ディスプレイ１７０は、テレビ放送を再び表示する（ステップＳ６２０）。
【００８９】
以上のようにして、本変形例に係る携帯電話１００は、多重化されたテレビ放送の受信中にサブチャンネル（たとえばチャンネルＣ８１０）に含まれている属性情報から、ＣＭの放送および終了に関する情報を取得する。携帯電話１００は、その情報に応じてテレビチューナ１４０の電源のＯＮとＯＦＦとを切換えることができる。その結果、たとえば携帯電話１００が電子メールを予め受信していない場合であっても、受信中のテレビ放送に応じて、テレビチューナ１４０の電力の消費を制御することができる。
【００９０】
＜第３の変形例＞
以下、本発明の実施の形態の第３の変形例について説明する。本変形例に係る携帯電話は、ユーザが予め登録しておいたデータに応じたＣＭ情報を受信してディスプレイ１７０に表示させる機能を有する点で、前述の各実施の形態における携帯電話と異なる。
【００９１】
図１０を参照して、本変形例に係るサーバ３００におけるデータ構造について説明する。図１０は、ハードディスク３５０が格納するデータの一態様を表わす図である。
【００９２】
本変形例に係るサーバ３００は、ＣＭ配信データに対してＣＭの種類を表わすデータをさらに関連付けて格納している点で、たとえば図５に示したサーバのデータ構造と異なる。
【００９３】
すなわち、図１０に示されるように、第１のＣＭ配信データは、領域Ｆ１０５０に格納されているＣＭの種類を表わすデータに、さらに関連付けられている。この領域Ｆ１０５０に格納されるデータは、たとえば予め定められた基準に基づいて各業界毎に割り当てられた業種コードである。
【００９４】
図１１を参照して、本変形例に係る携帯電話１００のデータ構造について説明する。図１１は、フラッシュメモリ１１９におけるデータの格納の一態様を表わす図である。
【００９５】
フラッシュメモリ１１９において、「食品」を表わすデータは、領域Ｄ１１１０に格納されている。同様に「健康」を表わすデータは、領域Ｄ１１２０に格納されている。これらのデータは、たとえばユーザが入力部１２０を介して所定の文字あるいはデータを入力することにより各領域に逐次格納される。これらのデータは、あるいは、図１０に示されるデータ構造を有するサーバ３００から予め業種情報として受信することにより、取得されてもよい。
【００９６】
図１２を参照して、本変形例に係る携帯電話１００が受信する電子メールのデータ構造について説明する。図１２は、携帯電話網１９０から携帯電話１００に送信される電子メールに含まれるデータを概念的に表わす図である。
【００９７】
図１２に示されるように、この電子メールは、ＣＭの種類を表わすためのデータをさらに含む。たとえば「食品」を表わすデータは、領域Ｄ１２００に格納されている。この場合、領域Ｄ４４０に格納されている時刻から始まるＣＭは、「食品」に関するコマーシャル情報であることを表わす。
【００９８】
図１３を参照して、本変形例に係る携帯電話１００の制御構造について説明する。図１３は、制御部１１０が実行する処理の手順を表わすフローチャートである。なお、前述の実施の形態と同じ処理には同一のステップ番号を付し、それらについての説明はここでは繰返さない。
【００９９】
ステップＳ１３１０にて、制御部１１０は、パケット受信部１３０を介して基地局から送信されたパケットデータを受信する。ステップＳ１３２０にて、制御部１１０は、フラッシュメモリ１１９の所定の領域に、ＣＭの種類とその開始時刻と終了時刻とを格納する。これらの情報は、ステップＳ１３１０にて受信されたデータに含まれるものである。
【０１００】
ステップＳ１３３０にて、制御部１１０は、クロック１２１から入力される時刻データに基づいて、携帯電話１００の時刻が予め登録された種類のＣＭの開始時刻であるか否かを判断する。その時刻は開始時刻である場合には（ステップＳ１３３０にてＹＥＳ）、処理はステップＳ６２０に移される。そうでない場合には（ステップＳ１３３０にてＮＯ）、処理はステップＳ６１２に移される。
【０１０１】
ステップＳ１３６０にて、制御部１１０は、クロック１２１からの時刻データに基づいてＣＭ時間が終了したか否かを判断する。ＣＭ時間が終了している場合には（ステップＳ１３６０にてＹＥＳ）、処理はステップＳ１３７０に移される。そうでない場合には（ステップＳ１３６０にてＮＯ）、処理は再びステップＳ１３６０に戻され、判断処理が繰り返される。なお、この場合の処理は、たとえば予め定められた時間待機した後に行なわれてもよい。
【０１０２】
ステップＳ１３７０にて、制御部１１０は、クロック１２１からの時刻データに基づいて、携帯電話１００の時刻が番組の開始時刻であるか否かを判断する。その時刻が開始時刻である場合には（ステップＳ１３７０にてＹＥＳ）、処理はステップＳ６２０に移される。そうでない場合には（ステップＳ１３７０にてＮＯ）、処理はステップＳ１３３０に戻される。
【０１０３】
以上のような構造およびフローチャートに基づく、本変形例に係る携帯電話１００の動作について説明する。
【０１０４】
ユーザがテレビの視聴中に携帯電話１００の時刻がＣＭの開始時刻になると（ステップＳ６０８にてＹＥＳ）、その時刻がユーザが登録した種類のＣＭの開始時刻である場合には（ステップＳ１３３０にてＹＥＳ）、携帯電話１００は、テレビチューナ１４０の電源をＯＮに切り替え（ステップＳ６２０）、さらに所定のチャンネルに合わせる。これにより、ディスプレイ１７０は、ユーザの好みに応じたＣＭを表示し続ける。
【０１０５】
その後、ＣＭの放送時間が終了すると（ステップＳ１３６０にてＹＥＳ）、携帯電話１００の時刻が番組の開始時刻である場合には（ステップＳ１３７０にてＹＥＳ）、テレビチューナ１４０の電源は再びＯＮになり、ディスプレイ１７０は、テレビチューナ１４０から出力されるテレビ放送される映像を表示する。
【０１０６】
以上のようにして、本変形例に係る携帯電話１００は、ユーザが予め登録しておいたＣＭの種類を識別するためのデータに基づいて、選択的にＣＭ映像を表示することができる。これにより、携帯電話１００は、ユーザの趣向に応じた映像をたとえＣＭの放送時間中であっても表示することができる。
【０１０７】
なお、各実施の形態および各変形例において、チューナの電源制御とバックアップライトの電源制御とは、個別に含まれていたが、共に含まれるものであってもよい。これにより、より詳細な電源制御を実行することができる。
【０１０８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１０９】
本発明はテレビ放送の受信機能を備える携帯通信端末、たとえば携帯電話に適用することができる。
【図面の簡単な説明】
【０１１０】
【図１】本発明の実施の形態に係る携帯電話による電波の受信を説明するための図である。
【図２】本発明の実施の形態に係る携帯電話のハードウェア構成を表わすブロック図である。
【図３】図１に示されるサーバを実現するコンピュータシステムのハードウェア構成を表わすブロック図である。
【図４】本発明の実施の形態に係る携帯電話が受信するデータの内容を説明するための図である。
【図５】図１に示されるサーバにおけるデータ構造を説明するための図である。
【図６】本発明の実施の形態に係る携帯電話が実行する処理の手順を表わすフローチャートである。
【図７】本発明の実施の形態の第１の変形例に係る携帯電話が実行する処理の手順を表わすフローチャートである。
【図８】本発明の実施の形態の第２の変形例に係る携帯電話が受信するデータの構造を概念的に表わす図である。
【図９】本発明の実施の形態の第２の変形例に係る携帯電話が実行する処理の手順を表わすフローチャートである。
【図１０】本発明の実施の形態の第３の変形例に係る携帯電話が通信するサーバにおけるデータ構造の一態様を表わす図である。
【図１１】本発明の実施の形態の第３の変形例に係る携帯電話におけるデータの格納の一態様を表わす図である。
【図１２】本発明の実施の形態の第３の変形例に係る携帯電話が受信する電子メールのデータ構造を概念的に表わす図である。
【図１３】本発明の実施の形態の第３の変形例に係る携帯電話が実行する処理の手順を表わすフローチャートである。
【符号の説明】
【０１１１】
１００  携帯電話、１１０  制御部、１１１  電源制御部、１１２  表示制御部、１１３  アンテナ、１１４  通信制御部、１１６  ＮＴＳＣデコーダ、１１７  ビデオメモリ、１１８  スピーカ、１１９  フラッシュメモリ、１２０  入力部、１２１  クロック、１３０  パケット受信部、１３２  パケット送信部、１４０  テレビチューナ、１７０  ディスプレイ、１８０  テレビ放送局、１８２  中継局、１９０  携帯電話網、３００  サーバ、３１０  ＣＰＵ、３２０  マウス、３３０  キーボード、３４０  メモリ、３５０  ハードディスク、３８０  モニタ、３９０  通信ＩＦ。
【図１】
2006041791.tif 000003
【図２】
2006041791.tif 000004
【図３】
2006041791.tif 000005
【図４】
2006041791.tif 000006
【図５】
2006041791.tif 000007
【図６】
2006041791.tif 000008
【図７】
2006041791.tif 000009
【図８】
2006041791.tif 000010
【図９】
2006041791.tif 000011
【図１０】
2006041791.tif 000012
【図１１】
2006041791.tif 000013
【図１２】
2006041791.tif 000014
【図１３】
2006041791.tif 000015